(57)【要約】【課題】浴槽に取り付けた循環配管金具から漏れる湯水を受ける水受けトレイを、簡単な構成で、手間のかかる作業を要さずに設けることができ、また、製品の管理が容易となる浴槽の水受け構造を提供する。【解決手段】浴槽１の洗い場側の側壁１１に貫通口１１ａを形成し、側壁１１の貫通口１１ａを設けた周辺に浴槽１の循環配管金具２を取り付けると共に、該循環配管金具２に循環配管３を取り付ける。浴槽１のフランジ部１２の洗い場側の端部から洗い場の床面にかけてエプロン４を設ける。エプロン４の前記循環配管３及び循環配管金具２に対応する部分に点検口４１を形成すると共に、点検口４１に着脱自在に点検口蓋４２を装着する。点検口蓋４２の浴槽１側の面に、浴槽１の側壁１１の循環配管金具２の下側にパッキン５３を介して当接して、循環配管金具２の浴槽１への取り付け部から漏れる湯水を受ける水受けトレイ５を設けた。【選択図】        図１
2010253063.tif 000002
【特許請求の範囲】
【請求項１】
浴槽の洗い場側の側壁に貫通口を形成し、前記浴槽の側壁の貫通口を設けた周辺に浴槽の循環配管金具を取り付けると共に、該循環配管金具に循環配管を取り付け、浴槽のフランジ部の洗い場側の端部から洗い場の床面にかけてエプロンを設けて前記循環配管及び循環配管金具等を隠し、エプロンの前記循環配管及び循環配管金具に対応する部分に点検口を形成すると共に、点検口に着脱自在に点検口蓋を装着し、点検口蓋の浴槽側の面に、浴槽の側壁の循環配管金具の下側にパッキンを介して当接して、循環配管金具の浴槽への取り付け部から漏れる湯水を受ける水受けトレイを設けて成ることを特徴とする浴槽の水受け構造。
【発明の詳細な説明】
【技術分野】
【０００１】
本発明は、浴槽に循環配管を固定する循環配管金具の取り付け部からの水漏れ被害を防止する浴槽の水受け構造に関するものである。
【背景技術】
【０００２】
従来より、浴槽に循環配管金具を取り付け、循環配管金具に循環配管を固定している（例えば特許文献１参照）。循環配管金具は、浴槽の洗い場側の側壁に形成した貫通口の周辺に取り付け、この循環配管金具に循環配管を取り付けることで、循環配管を浴槽内に連通した状態で浴槽に固定している。また、浴槽のフランジ部の洗い場側の端部と洗い場となる床パンの浴槽側の端部との間にはエプロンが着脱自在に設けてあり、前記浴槽の洗い場側の側壁に設けた循環配管や循環配管金具等を隠している。
【先行技術文献】
【特許文献】
【０００３】
【特許文献１】特開平１１−３２４０５０号公報
【発明の概要】
【発明が解決しようとする課題】
【０００４】
しかしながら、循環配管金具の浴槽へのボルトの締め付けが緩い場合には、この取り付け部からの湯水の漏れが発生してしまい、建物躯体への悪影響が懸念されるため、漏れた湯水を受ける水受けトレイを設けたものがある。
【０００５】
図３に示すように、水受けトレイ５’は、浴槽の側壁１１の循環配管金具が取り付けられる貫通口１１ａの下側に取り付けられると共に、水受けトレイ５’には受けた水を排水するための排水ホース９１が接続される。排水ホース９１の先端は、浴槽からの湯水を排水する浴槽側の排水口（図示せず）に接続するには作業が煩雑で行い難いため、洗い場床パンの床面に排水するようにしていた。
【０００６】
しかしながらこの場合、水受けトレイ５’を単独で製造しなければならず、また、水受けトレイ５’を工場で浴槽の側壁１１に取り付けるのであるが、この取り付け作業に手間がかかり、また、水受けトレイ５’を取り付けた浴槽と取り付けていない浴槽が生じて、浴槽の種類が多くなって製品の管理が煩雑となってしまう、という問題があった。
【０００７】
本発明は上記従来の問題点に鑑みて発明したものであって、その目的とするところは、浴槽の洗い場側の側壁に取り付けた循環配管金具の取り付け部から漏れる湯水を受ける水受けトレイを、簡単な構成で、手間のかかる作業を要さずに設けることができ、また、製品の管理が容易となる浴槽の水受け構造を提供することを課題とするものである。
【課題を解決するための手段】
【０００８】
上記課題を解決するために請求項１に係る発明にあっては、浴槽１の洗い場側の側壁１１に貫通口１１ａを形成し、前記浴槽１の側壁１１の貫通口１１ａを設けた周辺に浴槽１の循環配管金具２を取り付けると共に、該循環配管金具２に循環配管３を取り付ける。浴槽１のフランジ部１２の洗い場側の端部から洗い場の床面にかけてエプロン４を設けて前記循環配管３及び循環配管金具２等を隠し、エプロン４の前記循環配管３及び循環配管金具２に対応する部分に点検口４１を形成する。点検口４１に着脱自在に点検口蓋４２を装着する。点検口蓋４２の浴槽１側の面に、浴槽１の側壁１１の循環配管金具２の下側にパッキン５３を介して当接して、循環配管金具２の浴槽１への取り付け部から漏れる湯水を受ける水受けトレイ５を設ける。
【発明の効果】
【０００９】
本発明にあっては、水受けトレイを単独で製造する必要がなく、この別体の水受けトレイを工場で浴槽の側壁に取り付ける作業が不要で、水受けトレイを取り付けた浴槽と取り付けていない浴槽が生じて製品の管理が煩雑となることがない。
【図面の簡単な説明】
【００１０】
【図１】本発明の第一実施形態を示し、（ａ）は全体の概略斜視図であり、（ｂ）は要部側断面図である。
【図２】同上の水受けトレイを備えた点検口蓋の斜視図である。
【図３】従来の浴槽の水受け構造の斜視図である。
【発明を実施するための形態】
【００１１】
以下、本発明について添付図面に基づいて説明する。図１に第一の実施形態を示す。添付図面に示すように、建物躯体の浴室Ｂとなるスペースの床面上に床パンＰを設置し、床パンＰの周縁部から上方にパネルからなる壁Ｗを立設し、壁Ｗの上端部に天井（図示せず）を載設して浴室Ｂが形成してある。床パンＰは、上面が洗い場となるもので、床パンＰに隣接する浴槽設置部に浴槽１が設置されると共に、浴槽１のフランジ部１２の洗い場側の端部から、床パンＰの浴槽側の端部にかけてエプロン４が設けられる。エプロン４は、浴槽１のフランジ部１２の洗い場側の端部と、床パンＰの浴槽１側の端部との間に着脱自在に装着される。エプロン４の循環配管金具２に対応する位置には、点検口４１が形成され、点検口４１に着脱自在に点検口蓋４２が装着される。
【００１２】
浴槽１には、図１に示すように、追焚き配管等の循環配管３が固定される。浴槽１には、循環配管３から湯水を浴槽１内に供給するための貫通口１１ａが洗い場側の側壁１１に形成してあると共に、浴槽１の側壁１１の貫通口１１ａを設けた周辺に浴槽１の循環配管金具２が取り付けられる。そして、循環配管金具２に循環配管３が取り付けられて、循環配管３が前記貫通口１１ａを介して浴槽１内に連通している。
【００１３】
そして本実施形態では図２に示すように、点検口蓋４２に、循環配管金具２の浴槽１への取り付け部から漏れる湯水を受ける水受けトレイ５が設けられる。水受けトレイ５は、点検口蓋４２の裏面（すなわち浴槽１側の面）に形成される上方に凹となる水受け部５１で主体が構成され、点検口蓋４２を点検口４１に装着して閉塞した状態で、側壁１１の循環配管金具２を設けた部分の下側に水受け部５１の先端がパッキン５３を介して当接するように形成される。すなわち、水受けトレイ５の先端部（浴槽１側の端部）が浴槽１の側壁１１に当接し、循環配管金具２の取り付け部から漏れて側壁１１を流下する湯水を受けることができる。
【００１４】
水受けトレイ５の水受け部５１の底部には、排水穴５２が形成してある。また、点検口蓋４１の水受けトレイ５を設けた箇所よりも低い位置に排水口５４が形成してあると共に、排水穴５２と排水口５４との間に排水ホース５５が接続してあり、点検口蓋４２に形成した前記排水穴５２から排水される湯水が排水ホース５５を介して排水口５４へと流入して排出される。
【００１５】
上述した本発明においては、従来例のように、浴槽１やエプロン４とは別体の水受けトレイ５’を単独で製造する必要がなく、また、水受けトレイ５’を工場で浴槽１の側壁１１に取り付ける手間のかかる作業を要さず、また、水受けトレイ５’を取り付けた浴槽１と取り付けていない浴槽１が生じて、浴槽１の種類が多くなって製品の管理が煩雑となってしまうことがない。
【符号の説明】
【００１６】
１    浴槽
１１  側壁
１１ａ  貫通口
１２  フランジ部
２    循環配管金具
３    循環配管
４    エプロン
４１  点検口
４２  点検口蓋
５    水受けトレイ
５１  水受け部
５２  排水穴
５３  パッキン
５４  排水口
５５  排水ホース
Ｂ    浴室
Ｐ    床パン
Ｗ    壁
【図１】
2010253063.tif 000003
【図２】
2010253063.tif 000004
【図３】
2010253063.tif 000005